(57)【要約】      （修正有）【課題】強度アップのための専用部材を用いることなく基板の交換を容易に行える構造を可能とした電子機器を提供すること。【解決手段】メインベースと、撮像素子と、撮像素子背面に平行に配置される第一の基板３４と、第一の基板３４と平行に接続され外部機器と通信可能なコネクタ２１、２２、２３が実装された第二の基板３５と、第二の基板３５を保持するための保持金具３６と、保持金具３６によって前記第二の基板３５が取り付けられるコネクタ２１、２２、２３の開口部７ａ、７ｂ、７ｃを有するターミナルカバー７とを備えることを特徴とする構成とした。【選択図】図３
2015204243.tif 000002
【特許請求の範囲】
【請求項１】
メインベース（３２）と、撮像素子（３３）と、前記撮像素子（３３）背面に平行に配置される第一の基板（３４）と、前記第一の基板（３４）と平行に接続され外部機器と通信可能なコネクタ（２１、２２、２３）が実装された第二の基板（３５）と、前記第二の基板（３５）を保持するための保持金具（３６）と、前記保持金具（３６）によって前記第二の基板（３５）が取り付けられる前記コネクタ（２１、２２、２３）の開口部（７ａ、７ｂ、７ｃ）を有するターミナルカバー（７）とを備えることを特徴とする撮像装置。
【請求項２】
前記保持金具（３６）は導電部材からなり、前記コネクタ（２１、２２、２３）天面に当接する第一の支持部（３６ａ、３６ｂ、３６ｃ）を有することを特徴する請求項１に記載の撮像装置。
【請求項３】
前記ターミナルカバー（７）は前記第二の基板（３５）の前記コネクタ（２１、２２、２３）実装面と対向する側に第二の支持部（７ａ、７ｂ、７ｃ）を有することを特徴する請求項１に記載の撮像装置。
【請求項４】
前記本体（１）は前記第二の基板（３５）の上下辺と係合する基板ガイド（３２ａ、３２ｂ）を有することを特徴する請求項１に記載の撮像装置。
【請求項５】
前記第一の基板（３４）と前記第二の基板（３５）はフローティング機構を有するＢｔｏＢコネクタで接続されることを特徴とする請求項１に記載の撮像装置。
【発明の詳細な説明】
【技術分野】
【０００１】
本発明は、外部機器との通信可能なコネクタを有する電子機器に関し、特に前記コネクタが表面実装されたプリント基板の取り付け構造に関する。
【背景技術】
【０００２】
従来よりデジタルカメラやデジタルビデオカメラなどの電子機器には、パソコンやプリンタなどの外部機器と撮影した静止画や動画画像の送受信を行ったりするためのＵＳＢコネクタや、撮影した静止画や動画画像をＴＶなどのモニターで見るためのＨＤＭＩ（登録商標）コネクタが多く使われている。
【０００３】
これらＵＳＢコネクタ・ＨＤＭＩコネクタはＵＳＢプラグコード・ＨＤＭＩプラグコードを取り付けた状態で使用される。そのため撮影中カメラの姿勢を振った時や、誤ってプラグコードを足で引っ掛けた場合などにはＵＳＢコネクタ・ＨＤＭＩコネクタ部に過度の負荷がかかってしまう。
【０００４】
ＵＳＢコネクタ・ＨＤＭＩコネクタの固定はプリント基板上に表面実装され固定されている。しかしながら、プリント基板に対するこれらＵＳＢコネクタ・ＨＤＭＩコネクタの保持強度はプリント基板のパターンピル強度に依存しているため、上記のようにＵＳＢコネクタ・ＨＤＭＩコネクタに過度の負荷がかかってしまった場合には強度的には不十分で、プリント基板からＵＳＢコネクタ・ＨＤＭＩコネクタが剥がれてしまい通信できなくなることがある。
【０００５】
そこで、これらＵＳＢコネクタ・ＨＤＭＩコネクタの強度アップを図る提案が種々されている。特許文献１ではＵＳＢコネクタ・ＨＤＭＩコネクタを本体とコネクタカバーとで挟み込むことによりＵＳＢコネクタ・ＨＤＭＩコネクタにかかる外的応力を軽減する提案が開示されている。
【先行技術文献】
【特許文献】
【０００６】
【特許文献１】特許第４１１４１９５号明細書
【発明の概要】
【発明が解決しようとする課題】
【０００７】
しかしながら、上述の特許文献に開示された従来技術においても、プラグコードに過度の負荷がかかった場合にはＵＳＢコネクタ・ＨＤＭＩコネクタが破損してしまう。
【０００８】
ＵＳＢコネクタ・ＨＤＭＩコネクタが破損した場合にはプリント基板の交換が必要となってしまう。プリント基板の交換にあたっては、上述の特許文献に開示された従来技術では外装カバーを外す必要があり、その場合カメラの各種調整値が変化してしまうため再調整が必要となる。そのため修理にかかる作業工数が増大し、ユーザーにかかるコスト負荷が大きくなってしまうといった問題があった。また、強度アップのための専用部材を用いており部品点数およびコスト増加といった問題があった。
【０００９】
そこで、本発明の目的は、強度アップのための専用部材を用いることなく基板の交換を容易に行える構造を可能とした電子機器を提供することである。
【課題を解決するための手段】
【００１０】
上記目的を達成するための本発明に係る電子機器の構成は、メインベース（３２）と、撮像素子（３３）と、前記撮像素子（３３）背面に平行に配置される第一の基板（３４）と、前記第一の基板（３４）と平行に接続され外部機器と通信可能なコネクタ（２１、２２、２３）が実装された第二の基板（３５）と、前記第二の基板（３５）を保持するための保持金具（３６）と、前記保持金具（３６）によって前記第二の基板（３５）が取り付けられる前記コネクタ（２１、２２、２３）の開口部（７ａ、７ｂ、７ｃ）を有するターミナルカバー（７）とを備えることを特徴とする。
【発明の効果】
【００１１】
本発明によれば、ＵＳＢコネクタ・ＨＤＭＩコネクタが実装されたＩＦ基板とターミナカバーをユニット化し、メイン基板との接続をＢｔｏＢコネクタで接続することにより、ターミナルカバーを外すだけでＩＦ基板の着脱が可能な構造の電子機器を提案することができる。
【図面の簡単な説明】
【００１２】
【図１】本実施例に係るカメラの外観図
【図２】本実施例に係る要部内部構造図
【図３】本実施例に係る構成詳細図
【発明を実施するための形態】
【００１３】
以下に、本発明の好ましい実施の形態を、添付の図面に基づいて詳細に説明する。まず、本発明の実施例に係るカメラ全体の概略構成について図１を参照して説明する。図１は、本実施例に係るカメラの外観図であり、撮影レンズユニット（不図示）を外した状態を示している。図１（ａ）は、カメラを前面側（被写体側）から見た斜視図であり、図１（ｂ）は、カメラを背面側（撮影者側）から見た斜視図である。
【００１４】
１はカメラ本体で、カメラ本体１の外装はトップカバー２、フロントカバー３、バックカバー４、ボトムカバー５、メディアカバー６、ターミナルカバー７で構成されている。尚、ターミナルカバー７は導電フィラーが含有された成形材料からなり、導電性を有している。また、後述するヘッドホン端子２１、ＵＳＢコネクタ２２、ＨＤＭＩコネクタ２３に対応した開口部７ａ、７ｂ、７ｃを有している。
【００１５】
カメラ本体１の内部には、撮影レンズユニットを通過した撮影光束が導かれるミラーボック８が設けられている。ミラーボックス８内には、撮影光束を所定の方向に反射させるメインミラー（クイックリターンミラー）９が配設されている。メインミラー９は撮影光束を後述するファインダ接眼窓１７へ導くように撮影光軸に対して４５°の角度に保持される状態と、後述する固体撮像素子３３（以下、撮像素子という）の方向に導くように撮影光束から退避した位置に保持される状態とに変化する。
【００１６】
また、ミラーボックス８には撮影レンズユニットを着脱可能に固定するレンズマウント１０と、カメラ本体１と撮影レンズユニットとの間で制御信号、状態信号およびデータ信号等の通信を可能にするとともに撮影レンズユニット側に電力を供給するマウント接点１１が設けられている。
【００１７】
１２は撮影レンズユニットロック解除ボタンで、該解除ボタンを押下することで装着された撮影レンズユニットを取り外し可能とするボタンである。１３は撮影者が撮影を指示するためのＳＷ１及びＳＷ２機能を有する公知のレリーズボタンである。１４はプログラム撮影・シャッター優先撮影など各種撮影モードを選択するためのモードダイヤル、１５、１９はシャッタースピードや絞り値など撮影条件の設定値や撮影後の画像などを選択するための第１の選択ダイヤルおよび第２の選択ダイヤルである。該選択ダイヤルの機能割り振りは撮影者によって任意に設定可能となっている。
【００１８】
１６はモードダイヤル１４や第１の選択ダイヤル１５および第２の選択ダイヤル１９で設定された撮影条件などを表示するための第１の表示パネルである。１７は被写体を観察するためのファインダ接眼窓、１８は撮影した画像などを表示するための第２の表示パネル、２０は撮影者がカメラ本体１を保持するためのグリップで、グリップ２０の内部にはカメラを駆動するための電池を収納する電池室が形成されている。２１は動画撮影時の音声録音の状態確認や、動画再生時の音声を確認するためのヘッドホン端子でピンジャックタイプのコネクタである。２２は外部機器との各種データ通信を行うためのＵＳＢコネクタ、２３は記録画像を再生するためのＨＤＭＩコネクタで、それぞれ規格に準拠したコネクタである。
【００１９】
次に図２を用いてカメラ本体１の要部内部構造を説明する。３１はファインダ接眼窓１７へ撮影光束を導くためのペンタプリズムである。３２は本カメラの本体となるメインベースで、メインベース３２には後述説明する基板ガイド３２ａおよび３２ｂが一体的に形成されている。メインベース３２の背面には撮像素子３３が取り付けられている。３４は本カメラの機能を司る主要電気回路部品３４ａが実装されたメイン基板である（請求項１記載の第一の基板に相当）。３５は前述したヘッドホン端子２１、ＵＳＢコネクタ２２、ＨＤＭＩコネクタ２３が実装されたＩＦ基板で、後述説明するＢｔｏＢコネクタによってＭＡＩＮ基板３４に接続される。３６はＩＦ基板３５をターミナルカバー７に取り付け固定するための導電部材からなる保持金具である。
【００２０】
図３はＩＦ基板３５とターミナルカバー７の構成詳細図で、（ａ）はヘッドホン端子２１、ＵＳＢコネクタ２２、ＨＤＭＩコネクタ２３側から見た斜視図、（ｂ）はヘッドホン端子２１、ＵＳＢコネクタ２２、ＨＤＭＩコネクタ２３の反対面側から見た斜視図である。
【００２１】
ＩＦ基板３５はビス３６ａおよび３６ｂによって保持金具３６に固定され、保持金具３６はビス３６ｃおよび３６ｄによってターミナルカバー７に固定される。保持金具３６にはヘッドホン端子２１の天面に当接する第一の支持部３６ｅ、ＵＳＢコネクタ２２の天面に当接する第一の支持部３６ｆ、ＨＤＭＩコネクタ２３の天面に当接する第一の支持部３６ｇが形成されている。また、ターミナルカバー７にはヘッドホン端子２１、ＵＳＢコネクタ２２、ＨＤＭＩコネクタ２３の裏面に対応する位置にそれぞれ第二の支持部７ａ、第二の支持部７ｂ、第二の支持部７ｃがそれぞれ一体で形成されている。保持金具３６が取り付けられたＩＦ基板３５をターミナルカバー７に取り付けると、ヘッドホン端子２１、ＵＳＢコネクタ２２、ＨＤＭＩコネクタ２３は上下方向から押さえつけられることになる。これによりヘッドホン端子２１、ＵＳＢコネクタ２２、ＨＤＭＩコネクタ２３に不示図のプラグコードが取り付けられ、該コードに外的応力が加わった場合でもＩＦ基板７からの剥離防止（所謂こじり対策）が可能となり、通信不良などの問題を回避できる。
【００２２】
また、保持金具３６およびターミナルカバー７は導電性を有しているため、ターミナルカバー７の外部からヘッドホン端子２１、ＵＳＢコネクタ２２、ＨＤＭＩコネクタ２３に静電気が印加されても保持金具３６およびターミナルカバー７を通してカメラ本体に逃げる。これによりＩＦ基板７およびメイン基板３４への静電気流入が防止出来るため、該基板に実装されている電気回路素子破壊が回避できる。
【００２３】
ＩＦ基板３５は上下辺が本体に形成された基板ガイド３２ａおよび３２ｂにガイドされ、メイン基板３４に実装されたＢｔｏＢコネクタ３４ｂとＩＦ基板３５に実装されたｔｏＢコネクタ３４ｂとが嵌合し電気的接続がなされる。尚、ＢｔｏＢコネクタ３４ｂおよびＢｔｏＢコネクタ３４ｂはフローティング構造を有しており、メイン基板３４の取り付け誤差、ＩＦ基板７の取り付け誤差などで位置ズレが発生してもズレ吸収可能となっている。
【００２４】
コネクタ嵌合後はＩＦ基板３５の上下辺は基板ガイド３２ａおよび３２ｂに係合状態となっている。よってヘッドホン端子２１、ＵＳＢコネクタ２２、ＨＤＭＩコネクタ２３に不示図のプラグコードが取り付けられ、該コードに外的応力が加わった場合でもＢｔｏＢコネクタ３４ｂおよび３５ａに負荷がかかることがないためコネクタの破損を防止できる。
【００２５】
以上のように、ＩＦ基板３５は保持金具３６によってターミナルカバー７に固定されることによりユニット化される。これにより、該ユニットはトップカバー２、フロントカバー３、バックカバー４、ボトムカバー５、メディアカバー６の各外装が取り付けられた状態でも着脱が可能となり、万が一ヘッドホン端子２１、ＵＳＢコネクタ２２、ＨＤＭＩコネクタ２３が破損した場合でも容易にＩＦ基板３５の交換が可能な構成となっている。また、ターミナルカバー７とＩＦ基板３４との位置ずれ公差を最小限で抑えることが可能となるため、ターミナルカバー７の開口部７ａ、７ｂ、７ｃとヘッドホン端子２１、ＵＳＢコネクタ２２、ＨＤＭＩコネクタ２３との隙間を最小限に抑えることが可能となるため外観上の見栄えを向上することができる。
【００２６】
以上、本発明の好ましい実施形態について説明したが、本発明はこれらの実施形態に限定されず、その要旨の範囲内で種々の変形及び変更が可能である。
【符号の説明】
【００２７】
７  ターミナルカバー、７ａ、７ｂ、７ｃ  開口部、２１、２２、２３  コネクタ、
３２  メインベース、３３  撮像素子、３４  第一の基板、３５  第二の基板、
３６  保持金具
【図１】
2015204243.tif 000003
【図２】
2015204243.tif 000004
【図３】
2015204243.tif 000005